(57)【要約】    【課題】  壁面などに引掛けて保管するに際して嵩張ることがなく、それでいながら生ごみの圧縮が手軽に行なえる生ごみ圧縮器を提供する。  【解決手段】  握り部とこの握り部の長さ方向一端部に設けられる圧縮板とから構成され、圧縮板を握り部に対して握り部の長さ方向と交差する方向乃至握り部の長さ方向とほぼ沿う方向に揺動可能に取り付けるとともに、圧縮板の重心を、握り部との枢支点よりも左右のいずれか一方向に変位させて、自由状態での圧縮板が握り部に対して斜めに傾斜するようにした。  【選択図】  図１
2005075559.tif 000002
【特許請求の範囲】
【請求項１】
握り部とこの握り部の長さ方向一端部に設けられる圧縮板とから構成される生ごみ圧縮器において、圧縮板が握り部に対して少なくとも前記握り部の長さ方向と交差する方向乃至握り部の長さ方向とほぼ沿う方向に揺動可能に取り付けられていることを特徴とする生ごみ圧縮器。
【請求項２】
圧縮板の重心を、握り部との枢支点よりも左右のいずれか一方向に変位させて、自由状態での圧縮板が握り部に対して斜めに傾斜するようにしていることを特徴とする請求項１に記載の生ごみ圧縮器。
【請求項３】
圧縮板に水抜き孔を設けたことを特徴とする請求項１または２に記載の生ごみ圧縮器。
【請求項４】
握り部に指掛け部を設けたことを特徴とする請求項１、２または３に記載の生ごみ圧縮器。
【発明の詳細な説明】
【技術分野】
【０００１】
本発明は、主として台所の三角コーナーや排水口のごみ袋（水切りネット）内に溜まった生ごみを嵩低く圧縮するための生ごみ圧縮器に関する。
【背景技術】
【０００２】
一般にこの種の生ごみ圧縮器は、図７に概略的に示すように、横断面円形とした棒状の握り部Ａと、この握り部Ａの長さ方向一端に組み付けられたラッパ状の圧縮体Ｂとから構成され、使用に際しては、握り部Ａを手で持って、圧縮体Ｂを三角コーナーや排水口の水切りネット内に溜まった生ごみに押し付け、生ごみを三角コーナーや排水口の水切りネット内で圧縮するようにしている。
（特許文献１参照）
【特許文献１】実用新案登録第３０６７９２７号  ところで、以上の生ごみ圧縮器にあっては、不使用時に例えば壁面Ｃに設けた引掛け具Ｄなどに引掛けて保管する際、図７に示すように、圧縮体Ｂが壁面Ｃの手前に大きく飛び出て、美観を損ねたり、あるいは台所での作業の邪魔になる不具合がある。
【０００３】
また握り部Ａが横断面円形とした棒状であるため、例えば台所仕事で手が水で濡れていると、使用に際して、握り部Ａを握った手が滑り易くて、力を入れにくい不具合がある。
【０００４】
また更に圧縮体Ｂがラッパ状に形成されていることから、生ごみを圧縮する際に、生ごみに含まれている水分が逃げ難くなって、場合によっては、生ごみに含まれていた水が圧縮体Ｂの周縁から外方に吹き出して、周辺に飛散する不具合も考えられる。
【発明の開示】
【発明が解決しようとする課題】
【０００５】
本発明は以上の実情に鑑みて開発したものであって、目的とするところは、壁面などに引掛けて保管するに際して嵩張ることがなく、それでいながら生ごみの圧縮が手軽に行なえる生ごみ圧縮器を提供するにある。
【課題を解決するための手段】
【０００６】
以上の目的を達成するため、請求項１に記載の発明は、握り部とこの握り部の長さ方向一端部に設けられる圧縮板とから構成され、圧縮板が握り部に対して少なくとも握り部の長さ方向と交差する方向乃至握り部の長さ方向とほぼ沿う方向に揺動可能に取り付けられていることを特徴とするものである。
【０００７】
請求項１に記載の生ごみ圧縮器によれば、不使用時、壁面などに吊下げて保管するに際して、圧縮板を握り部の長さ方向とほぼ沿うように折り畳んだ状態で吊下げることが出来る。
【０００８】
請求項２に記載の発明は、請求項１に記載の生ごみ圧縮器において、圧縮板の重心を、握り部との枢支点よりも左右のいずれか一方向に変位させて、自由状態での圧縮板が握り部に対して斜めに傾斜するようにしていることを特徴とするものである。
【０００９】
請求項２に記載の生ごみ圧縮器によれば、例えば壁面などに引掛けて保管するに際して、圧縮板を握り部に対して常に同一方向に容易に折り畳むことが出来る。
【００１０】
請求項３に記載の発明は、請求項１または２に記載の生ごみ圧縮器において、圧縮板に水抜き孔を設けたことを特徴とするものである。
【００１１】
請求項３に記載の生ごみ圧縮器によれば、生ごみの圧縮作業時、水分を水抜き孔を介して逃がすことが出来る。
【００１２】
また請求項４に記載の発明は、請求項１、２または３に記載の生ごみ圧縮器において、握り部に指掛け部を設けたことを特徴とするものである。
【００１３】
請求項４に記載の生ごみ圧縮機では、指欠け部に指を引っ掛けることで、生ごみの圧縮が確実に行なえる。
【発明の効果】
【００１４】
請求項１に記載の発明によれば、保管に際して壁面などに吊下げて保管するに際して、握り部の長さ方向とほぼ沿うように折り畳んだ状態で吊下げることが出来るので、従来の圧縮器を壁面に引掛けた場合のように、圧縮板が側壁の前方に大きく突出するようなことがない。
【００１５】
請求項２に記載の発明によれば、例えば壁面などに引掛けて保管するに際して、圧縮板を握り部に対して常に同一方向にワンタッチで折り畳むことが出来る。
【００１６】
請求項３に記載の発明によれば、水分を水抜き孔を介して逃がすことが出来るので、生ごみの圧縮作業時、生ごみに含まれていた水が周辺に飛散する不具合を解消することが出来る。
【００１７】
請求項４に記載の発明によれば、指欠け部に指を引っ掛けることで、手が握り部に対して滑る不具合を解消することが出来て、生ごみの圧縮が確実且つ安定的に行なうことが出来る。
【発明を実施するための最良の形態】
【００１８】
図１において符号１で概略的に示す生ごみ圧縮器は、握り部２と、この握り部２の長さ方向一端部に設けられる圧縮板３とから構成されている。
【００１９】
握り部２は、合成樹脂材料から細幅の平板状に形成されており、その長さ方向一端部には、湾曲状のフック２１が一体形成され、長さ方向他端部両側には、図２に示すように、圧縮板３を揺動可能に支持するための円柱状の支持軸２２が突設されている。
【００２０】
また握り部２の外周縁には、横断面略円形の補強リブ２３が設けられている。
【００２１】
また握り部２には、図１にも示すように、正面視円形とした指掛け部としての貫通孔２４が３箇所設けられている。
【００２２】
圧縮板３は、合成樹脂材料から略円板状に形成され、その中央部には、後記する切り欠き部３４を挟んで対向する一対の厚肉部３１が設けられている。
【００２３】
そしてこの厚肉部３１には、握り部２の支持軸２２を回転可能に支持する支持孔３２が設けられている。
【００２４】
また圧縮板３には、図１にも示すように、平面視略水滴状の形をした複数の水抜き孔３３が放射状に形成されている。
【００２５】
また圧縮板３には、握り部２に対して圧縮板３を握り部２の長さ方向とほぼ沿うように折り畳んだ時に握り部２が遊嵌可能な切り欠き部３４が設けられ、この切り欠き部３４の形成により、圧縮板３の重心を、握り部２との枢支点よりも切り欠き部３４とは反対側に若干変位させているのであって、これにより、圧縮板３を吊下げて自由状態とした時に、圧縮板３の切り欠き部３４側が若干上方に持ち上がるように、圧縮板３が斜めに傾斜するようにしている。
【００２６】
また圧縮板３の外周縁にも横断面略円形の補強リブ３５が形成されている。
【００２７】
以上の構成からなる生ごみ圧縮器１は、図６に示すように、握り部２を手Ｈで持った状態から圧縮板３で例えば三角コーナーＥにセットされたごみ袋Ｆ（水切りネット）内に入れられた生ごみＧを押し込むのであって、これにより、ごみ袋Ｆ内の生ごみＧを圧縮して嵩低くすることが出来、ごみ袋Ｇを破棄するに際して袋の開口部を結び易く出来る。
【００２８】
ところで、生ごみＧの圧縮作業時、例えば手Ｈの指先を握り部２の貫通孔２４に引掛けて行なえば、手Ｈが握り部２に対して不用意に滑るようなことがなく、生ごみＧの圧縮が確実且つ容易に行なえる。
【００２９】
また圧縮板３での生ごみＧの圧縮作業時、生ごみに含まれている水分は水抜き孔３３より圧縮板３の上方にスムーズに逃げるのであって、これによって、従来のように圧縮作業時、生ごみに含まれていた水が周辺に飛散するような不具合がない。
【００３０】
一方、以上の生ごみ圧縮器１を例えば図５に示すように、壁面Ｃに装着した引掛け具Ｄに引掛けて保管するに際して、図３に示すように、圧縮板３を吊下げて自由状態とした時に、圧縮板３が斜めに傾斜するので、図４に示すように、握り部２の先端に設けたフック２１を引掛け具Ｄに掛止した状態で、握り部２から手を離せば、圧縮板３は、握り部２に対して常に一定の方向に揺動して、図５に示すように、自動的にしかも常に所定の方向に圧縮板３が折り畳まれるのである。
【００３１】
以上の実施形態では、圧縮板３の折り畳みに伴い、握り部２の一端側が圧縮板３の切り欠き部３４内に嵌るようにしているので、圧縮板３を握り部２の長さ方向に沿うように折り畳むことが可能であって、従って、以上の生ごみ圧縮器１を例えば食器入れに収納して保管する際にも板状に折り畳んで非常に嵩低くすることが出来るのである。
【００３２】
また以上の実施形態では、圧縮板３を円板状に形成したが、これに限定されるものではなく、例えば平面視矩形に形成してもよい。
【００３３】
また以上の実施形態では、握り部２に、貫通孔２４から構成される指掛け部を形成したが、これに限定されるものではなく、窪みから構成される指掛け部を形成してもよい。
【図面の簡単な説明】
【００３４】
【図１】本発明にかかる生ごみ圧縮器の概略斜視図。
【図２】同、要部の拡大正面図。
【図３】本発明にかかる生ごみ圧縮器の概略側面図。
【図４】本発明にかかる生ごみ圧縮器を壁面に引っ掛ける過程を示す説明図。
【図５】本発明にかかる生ごみ圧縮器を壁面に引っ掛けた状態を示す説明図。
【図６】本発明にかかる生ごみ圧縮器の使用状態を示す説明図。
【図７】従来の生ごみ圧縮器を壁面に引っ掛けた状態を示す説明図。
【符号の説明】
【００３５】
１        生ごみ圧縮器
２        握り部
２４      貫通孔（指掛け部）
３        圧縮板
３３      水抜き孔
３４      切り欠き部
【図１】
2005075559.tif 000003
【図２】
2005075559.tif 000004
【図３】
2005075559.tif 000005
【図４】
2005075559.tif 000006
【図５】
2005075559.tif 000007
【図６】
2005075559.tif 000008
【図７】
2005075559.tif 000009